(57)【要約】【課題】ハンドル部を縦方向の軸心を回転中心として横方向に回転できるうえ、右打ちとボリューム調整下での打ち方との切り替えができるようにする。【解決手段】パチンコ機１の前面部に設けられた固定基部６に可動基部７が縦方向の軸心Ｌ１を回転中心として横方向に回転可能に連結され、可動基部７の前部にハンドル部１０が前後方向の軸心Ｌ２を回転中心として縦方向に回転可能に設けられ、人がハンドル部１０以外の操作部を操作することなくハンドル部１０を前後方向の軸心Ｌ２を回転中心として縦方向に回転できると共に縦方向の軸心Ｌ１を回転中心として横方向に回転でき、人が可動基部７に設けられた右打ち操作部８を操作するとボリューム調整に無関係に右打ちとなり、人が可動基部７に設けられた停止操作部９を操作するとボリューム調整に無関係に発射停止となり、右打ち又は発射停止とボリューム調整下での打ち方との切り替えができる。【選択図】図１
2014204763.tif 000002
【特許請求の範囲】
【請求項１】
パチンコ遊技機の玉を発射する際に人に操作される発射操作装置であって、パチンコ遊技機の前面部に取り付けられる固定基部と、固定基部に縦方向の軸心を回転中心として横方向に回転可能に連結された可動基部と、可動基部の前部に前後方向の軸心を回転中心として縦方向に回転可能に取り付けられたハンドル部と、可動基部の固定基部とハンドル部との間でハンドル部を操作する人の指の触れることの可能な範囲の外周部に外部から操作可能となるように取り付けられた操作部と、固定基部の内部に設けられて操作部の操作に基づき動作するスイッチ部とを備えたことを特徴するパチンコ遊技機の発射操作装置。
【請求項２】
固定基部の前部が中空な半円筒部として構成され、可動基部の後部が固定基部の半円筒部の内面部に縦方向の軸心を中心として横方向に回転可能に接触した半円筒部として構成され、固定基部の半円筒部には可動基部の半円筒部の横方向への回転を許容する逃げ部が設けられたことを特徴する請求項１記載のパチンコ遊技機の発射操作装置。
【請求項３】
スイッチ部が玉の発射力を右打ちに設定するスイッチ部として構成されたことを特徴する請求項１記載のパチンコ遊技機の発射操作装置。
【請求項４】
操作部及びスイッチ部が２個設けられ、１個の操作部の操作に基づき１つのスイッチ部が玉の発射力を右打ちに設定するスイッチ部として構成され、もう１個の操作部の操作に基づき１つのスイッチ部が玉の発射を停止するスイッチ部として構成されたことを操作する請求項１記載のパチンコ遊技機の発射操作装置。
【請求項５】
可動基部に固定された作用部と固定基部に設けられ受動部とからなる操作感機構が固定基部と可動基部とにわたり設けられ、受動部が弾性部材により構成されたことを特徴する請求項１記載のパチンコ遊技機の発射操作装置。
【発明の詳細な説明】
【技術分野】
【０００１】
本発明は、パチンコ遊技機の玉を発射する人に操作される発射操作装置に関する。
【背景技術】
【０００２】
図４は、特許文献１で開示された発射操作装置６１を示す。図４において、人がハンドル部６２を時計回りに操作すると、ハンドル部６２がグリップ部６３に対して右回りに回転して玉の発射力を変える。又、人がレバー部６４を上方に操作すると、レバー部６４及びハンドル部６２が軸部６５を回転中心として上方に回転する。上方に回転した位置で人がレバー部６４から手を離すと、内部の機構により、ハンドル部６２及びレバー部６４がその位置で停止する。つまり、レバー部６４の操作及び解除により、ハンドル部６２及びレバー部６４が水平な位置から上方に角度調整されるようになっている。しかしながら、ハンドル部６２を上方に位置移動する場合に、ハンドル部６２とグリップ部６３との隙間が狭くなり、狭くなった隙間に指を挟む可能性がある。
【０００３】
図５は、特許文献２で開示された発射操作装置７１を示す。図５において、人がレバー部７２を右手で操作しながらその指先でボタン部７３を１回操作すると、右打ちが開始する。その後、人がボタン部７３をもう１回操作すると、レバー部７２の操作による通常の発射状態に復帰するようになっている。しかしながら、右打ちにしたり、通常の状態に戻したりするごとに、ボタン部７３を操作する必要があり、ボタン部７３の操作が面倒である。
【０００４】
又、図４に示すレバー部６４によるハンドル部６２の上下方向の操作可能な構造と、図５に示すボタン部７３による右打ち可能な構造とを組み合わせても、ハンドル部６２を縦方向の軸心を回転中心として横方向に安全に回転できないうえ、ハンドル部６２が移動すると、ハンドル部６２とボタン部７３との距離が変化し、ボタン部７３の操作がやりにくくなる。
【先行技術文献】
【特許文献】
【０００５】
【特許文献１】特開２０１０−１４８８６７号公報
【特許文献２】特開平９−２０６４２７号公報
【発明の概要】
【発明が解決しようとする課題】
【０００６】
本発明は、上記背景技術に鑑みてなされたものであり、ハンドル部が前後方向の軸心を回転中心として縦方向に回転できると共に縦方向の軸心を回転中心として横方向に回転できるうえ、ハンドル部が左右に移動してもハンドル部と操作部との距離が一定に保持できて、右打ちとボリューム調整下での打ち方との切り替えが容易にできるようにすることを目的とする。
【課題を解決するための手段】
【０００７】
本発明は、パチンコ遊技機の玉を発射する際に人に操作される発射操作装置であって、パチンコ遊技機の前面部に取り付けられる固定基部と、固定基部に縦方向の軸心を回転中心として横方向に回転可能に連結された可動基部と、可動基部の前部に前後方向の軸心を回転中心として縦方向に回転可能に取り付けられたハンドル部と、可動基部の固定基部とハンドル部との間でハンドル部を操作する人の指の触れることの可能な範囲の外周部に外部から操作可能となるように設けられた操作部と、固定基部の内部に設けられて操作部の操作に基づき動作するスイッチ部とを備えたことを特徴とする。
【発明の効果】
【０００８】
本発明は、パチンコ遊技機の前面部に取り付けられる固定基部に対し可動基部が縦方向の軸心を回転中心として横方向に回転可能に連結され、可動基部の前部に対しハンドル部が前後方向の軸心を回転中心として縦方向に回転可能に取り付けられたので、ハンドル部以外の操作部を操作することなく、ハンドル部を前後方向の軸心を回転中心として縦方向に回転できると共に縦方向の軸心を回転中心として横方向に回転できるうえ、可動基部の固定基部とハンドル部との間でハンドル部を操作する人の指の触れることの可能な範囲の外周部に対し操作部が外部から操作可能となるように取り付けられ、操作部の操作に基づき動作するスイッチ部が固定基部の内部に設けられたので、操作部を操作するとボリューム調整に無関係に右打ち又は発射停止となり、右打ち又は発射停止とボリューム調整下での打ち方との切り替えが容易にできる効果がある。
【０００９】
本発明において、固定基部の前部が中空な半円筒部として構成され、可動基部の後部が固定基部の半円筒部の内面部に縦方向の軸心を中心として横方向に回転可能に接触した半円筒部として構成され、固定基部の半円筒部には可動基部の半円筒部の横方向への回転を許容する逃げ部が設けられれば、ハンドル部及び操作部の設けられた可動基部の半円筒部が固定基部の半円筒部で覆われた構造になり、固定基部の半円筒部と可動基部の半円筒部との隙間に指を挟むことがないうえ、逃げ部が可動基部の横方向への回転運動の範囲を決めることができる効果がある、
【００１０】
本発明において、スイッチ部が玉の発射力を右打ちに設定するスイッチ部として構成されれば、操作部を操作するとボリューム調整に無関係に右打ちとなり、右打ちとボリューム調整下での打ち方との切り替えが容易にできる効果がある。
【００１１】
本発明において、操作部及びスイッチ部が２個設けられ、１個の操作部の操作に基づき１つのスイッチ部が玉の発射力を右打ちに設定するスイッチ部として構成され、もう１個の操作部の操作に基づき１つのスイッチ部が玉の発射を停止するスイッチ部として構成されば、右打ちと発射停止とボリューム調整下での打ち方との切り替えができる効果がある。
【００１２】
可動基部に固定された作用部と固定基部に設けられ受動部とからなる操作感機構が固定基部と可動基部とにわたり設けられ、受動部が弾性部材により構成されれば、ハンドル部の横方向への回転に支障を来すことなく、操作感を発揮することができる効果がある。
【図面の簡単な説明】
【００１３】
【図１】発明を実施するための形態１に係るパチンコ遊技機を前側から見て示す斜視図。
【図２】発明を実施するための形態１に係る発射操作装置を前後方向に切断して下から見た断面図。
【図３】発明を実施するための形態１に係る発射操作装置の制御系統を示す構成図。
【図４】従来の発射操作装置を示す斜視図。
【図５】従来の別の発射操作装置を示す斜視図。
【発明を実施するための形態】
【００１４】
本明細書における「前」、「後」、「左」、「右」、「上」、「下」の方向は、図１に矢印及び「前後左右上下」の各文字で特定される方向である。
【００１５】
図１を参照し、発明を実施するための形態１に係るパチンコ遊技機１の発射操作装置５について説明する。図１において、１はパチンコ遊技機、２は遊技盤、３は玉発射機、４は玉受皿、５は発射操作装置、６は固定基部、７は可動基部、８は右打ち操作部、９は停止操作部、１０はハンドル部、１１はキャップ部、１２は逃げ部、Ｌ１は縦方向の軸心、Ｌ２は前後方向の軸心、Ｒ１は横方向の回転、Ｒ２は縦方向の回転である。
【００１６】
パチンコ遊技機１は、遊技店の島設備と呼ばれる遊技機設置設備に取り付けられて遊技に使用されものであり、内部に遊技盤２及び玉発射機３が収容され、前面部に玉受皿４及び発射操作装置５を備える。発射操作装置５は、固定基部６、可動基部７、右打ち操作部８、停止操作部９、ハンドル部１０、キャップ部１１、逃げ部１２、縦方向の軸心Ｌ１、前後方向の軸心Ｌ２を備える。前後方向の軸心Ｌ２は、発射操作装置５がパチンコ遊技機１に取り付けられた場合、パチンコ遊技機１の前面部から前方に直角に突出する直線Ｌ３と角度θの挟角を成している。可動基部７は、前後方向の軸心Ｌ２を備え、ハンドル部１０を縦方向に回転可能に支持する軸部材である。
【００１７】
特に、パチンコ遊技機１の前面部に取り付けられる固定基部６に対し可動基部７が縦方向の軸心Ｌ１を回転中心として横方向に回転可能に連結され、可動基部７の前部に対しハンドル部が前後方向の軸心Ｌ２を回転中心として縦方向に回転可能に取り付けられたので、人がハンドル部１０以外の操作部を操作することなくハンドル部１０を前後方向の軸心Ｌ２を回転中心として縦方向に回転できると共に縦方向の軸心Ｌ１を回転中心として横方向に回転できる。
【００１８】
又、右打ち操作部８及び停止操作部９が可動基部７の固定基部６とハンドル部１０との間でハンドル部１０を操作する人の指の触れることの可能な範囲の外周部に外部から操作可能となるように取り付けられた操作部を構成するので、人が右打ち操作部８を操作すると、発射操作装置５がボリューム調整に無関係に右打ちとなり、人が停止操作部９を操作すると、発射操作装置５がボリューム調整に無関係に発射停止となり、右打ち又は発射停止とボリューム調整下での打ち方との切り替えが容易にできる。
【００１９】
パチンコ遊技機１において、玉受皿４に玉が入った状態において、人が発射操作装置５のハンドル部１０を右回り操作すると、ハンドル部１０が固定基部６に対して縦方向の回転Ｒ２での右回りに回転するのに伴い、玉発射機３が玉受皿４からパチンコ遊技機１の内部に１個ずつ導かれた玉をハンドル部１０の回転量としての操作量に応じた発射力で発射する。
【００２０】
この発射された玉は、遊技盤２の前面部とパチンコ遊技機１の前面部の硝子板との間の遊技空間部の上部に到達した後に遊技空間部を落下する。遊技空間部を落下する玉が図外の入賞部品に取り込まれると、賞品として玉がパチンコ遊技機１の後部より玉受皿４に払い出される。遊技空間部を落下する玉が入賞部品に取り込まれずに遊技空間部の下部に到達すると、図外のアウト口から遊技機設置設備へと排出される。
【００２１】
上記のように、玉がハンドル部１０の操作量に応じて玉発射機３により遊技空間部へと発射されている場合において、人がハンドル部１０を右手で操作しながらその指先で停止操作部９を押すと、玉発射機３の発射動作が停止し、玉の遊技空間部への発射が停止する。停止操作部９が押されている間、玉の発射の停止は持続する。人による停止操作部９への操作が中止されると、再び、玉がハンドル部１０の操作量に応じて玉発射機３により遊技空間部へと発射される。
【００２２】
又、上記のように、玉がハンドル部１０の操作量に応じて玉発射機３により遊技空間部へと発射されている場合において、人がハンドル部１０を右手で操作しながらその指先で右打ち操作部８を押すと、玉発射機３の発射力が玉を遊技空間部の左側から最上部を越えて右側へと発射するように強くなり、玉が遊技空間部の右側に発射される右打ちの状態になる。右打ち操作部８が押されている間、玉の右打ちの状態は持続する。人による右打ち操作部８への操作が中止されると、再び、玉がハンドル部１０の操作量に応じて玉発射機３により遊技空間部へと発射される。
【００２３】
尚、可動基部７に設けられる操作部としては、右打ち操作部８又は停止操作部９の一方でも適用可能である。
【００２４】
図２を参照し、発明を実施するための形態１に係る発射操作装置５について説明する。図２において、５は発射操作装置、６は固定基部、７は可動基部、８は右打ち操作部、９は停止操作部、１０はハンドル部、１１はキャップ部、１２は逃げ部、１３は取付部、１４は支持部、１５；１６は孔部、１７は空間部、１８は半円筒部、１９；２０は欠番、２１は操作感機構、２２は作用部、２３は受動部、２４は軸部材、２５は半円筒部、２６は筒部、２７は収容部、２８は隔壁、２９は孔部、３０は欠番、３１は右打ちスイッチ部、３２はタッチセンサ部、３３はボリューム部、３４はボリューム軸部、３５；３６は歯車、３７は歯車軸部、３８は隙間部、３９は逃げ部、４０；４１は支柱、Ｌ１は縦方向の軸心、前後方向の軸心Ｌ２、Ｌ３はパチンコ遊技機の前面部から前方に直角に突出する直線、Ｒ１は横方向の回転、Ｒ２は縦方向の回転である。
【００２５】
発射操作装置５の固定基部６は、取付部１３及び支持部１４を備える。取付部１３は、パチンコ遊技機１の前面部に図外の螺子部材等の固定具により取り付けられる。図外の固定具は、パチンコ遊技機１を前側から見た場合に、可視できない構造になっている。取付部１３には、孔部１５が設けられる。取付部１３がパチンコ遊技機１の前面部に取り付けられた場合、孔部１５は、パチンコ遊技機１の前面部に設けられた孔部１６に繋がる。
【００２６】
支持部１４が固定基部６の前部に固定されることにより、固定基部６と支持部１４とが空間部１７を構成する。支持部１４は、前部に半円筒部１８を備える。半円筒部１８は、固定基部６の側から前方に行くに従って直径が大きくなる中空な半球形になっている。半円筒部１８の前部の中心部には、逃げ部１２が前後方向に貫通する孔として設けられる。
【００２７】
空間部１７には操作感機構２１と可動基部７の半円筒部２５とが収容される。操作感機構２１は、作用部２２と受動部２３と備える。作用部２２は、可動基部７の半円筒部２５に結合され、可動基部７が軸部材２４を中心として横方向に回転するのに伴ない軸部材２４を中心として可動基部７と一緒に回転するようになっており、例えば円盤の軸部材２４を中心とする円周面に突起部を多数個備えた場合を例示する。受動部２３は、固定基部６に取り付けられた例えば弾性部材により構成された場合を例示する。軸部材２４は、縦方向の軸心Ｌ１を構成する部材である。
【００２８】
操作感機構２１は、可動基部７が軸部材２４を中心として横方向に回転すると、作用部２２が軸部材２４を中心として横方向に回転ことにより、受動部２３の先端部が受動部２３の弾性により作用部２２の突起部の１個から離れた後に隣接する１個の突起部に衝突し、ハンドル部１０を左右に移動するように操作する人に操作感を与える機構である。
【００２９】
可動基部７は、前部の半円筒部２５と中間の筒部２６と後部の収容部２７とを備える。半円筒部２５は、可動基部７の側から固定基部６の側に行くに従って直径が大きくなる中空な半球形になっている。半円筒部２５の前部の中心部には、筒部２６が設けられる。
【００３０】
筒部２６の前後方向の軸心Ｌ２に交差する方向の外形は、逃げ部１２を通過可能である共に可動基部７の軸部材２４を中心として横方向への回転を許容する大きさである。筒部２６の前部には収容部２７が設けられる。
【００３１】
収容部２７の前後方向の軸心Ｌ２に交差する方向の外形は、逃げ部１２を通過不可能な大きさである。収容部２７と筒部２６との境を形成する隔壁２８には孔部２９が設けられる。
【００３２】
収容部２７には、右打ち操作部８、右打ちスイッチ部３１、タッチセンサ部３２、ボリューム部３３、ボリューム軸部３４、歯車３５：３６、歯車軸３７、図外の停止スイッチ部、図外の固定抵抗部が装着される。右打ち操作部８は、収容部２７の側部に抜けないようにかつ外部から操作可能なように取り付けられる。
【００３３】
右打ちスイッチ部３１は、収容部２７の内部に固定されることにより、右打ちスイッチ部３１の図外の可動端子部を動かす突起が可動端子部の弾力で右打ち操作部８を収容部２７の内部から外部の側に押し出し、この押し出された右打ち操作部８と収容部２７との間には隙間部３８が形成され、右打ち操作部８が脱落しないように収容部２７に装着される。
【００３４】
収容部２７に装着された右打ち操作部８が収容部２７の外部から人により押されると、右打ち操作部８が隙間部３８を少なくするように収容部２７の内部の側に移動して右打ちスイッチ部３１の可動端子部を動かす突起を押すことにより、右打ちスイッチ部３１の可動端子部が動いて右打ちスイッチ部３１の図外の固定端子部に接触して右打ちスイッチ部３１の回路が閉じられ、右打ちスイッチ部３１がオン状態になる。
【００３５】
その状態において、上記右打ち操作部８に対する人による押しが解除されると、可動端子部が自分の弾力で右打ち操作部８を収容部２７の内部から外部の側に押し出すると共に固定端子部から離れて右打ちスイッチ部３１の回路が開かれ、右打ちスイッチ部３１がオフ状態になる。
【００３６】
タッチセンサ部３２が収容部２７の内部に固定される。ボリューム部３３がボリューム部３３を前方に向けた状態で収容部２７の内部に固定される。ボリューム部３３には歯車３５が固定される。歯車３５には歯車３６が噛み合わせられる。歯車３６は、歯車軸３７に固定される。歯車軸３７の後部は、収容部２７の内部に回転可能に装着される。歯車軸３７の前部は、ハンドル部１０の中心部に固定される。
【００３７】
ハンドル部１０は、可動基部７の収容部の前部とキャップ部１１との間に回転可能に挟まれている。ハンドル部１０の中心部と外周部との間の部分には、逃げ部３９が設けられる。収容部２７の内部には、支柱４０が設けられる。キャップ部１１の内部には、支柱４１が設けられる。支柱４０；４１は互いに対になるものであり、１対を例示したが、２対以上設けられる。
【００３８】
発射操作装置５の組み立て方について説明すると、固定基部６の取付部１３と支持部１４とが分離され、可動基部７の筒部２６と収容部２７とが分離された状態において、筒部２６が支持部１４の後側から支持部１４の開口と内部の空間部１７及び逃げ部１２経由して支持部１４より前方に突出される。
【００３９】
又、半円筒部１８の内面部と半円筒部２５の外面部とが互いに接触するように重ね合わされ、軸部材２４が半円筒部１８：２５の双方に装着されることにより、可動基部７が固定基部６に対し軸部材２４を中心として回転になる。
【００４０】
その後、取付部１３と支持部１４とが図２に示す態様に固定されることにより、受動部２３と作用部２２とが互いに操作感機構２１を構成するように図２に示す態様に組み合わされる。
【００４１】
一方、収容部２７には、右打ち操作部８、右打ちスイッチ部３１、タッチセンサ部３２、ボリューム部３３、ボリューム軸部３４、歯車３５：３６、歯車軸３７が装着され、タッチセンサ部３２の図外の配線とボリューム部３３の図外の配線及び右打ちスイッチ部３１の図外の配線が収容部２７の内部から孔部２９を経由して収容部２７の外部に出される。
【００４２】
又、ハンドル部１０が収容部２７の前部に回転可能に装着され、ハンドル部１０の中心部が歯車軸３７の前部に回転可能に装着され、キャップ部１１がハンドル部１０の前部に被せられる。キャップ部１１がハンドル部１０に被せられる場合、支柱４０；４１が互いに逃げ部３９を経由して合わせられて結合される。
【００４３】
例えば、図外の螺子部材が、収容部２７の外部から、隔壁２８に設けられた図外の貫通孔部及び支柱４０の内部を経由して支柱４１の内部に取り付けられることにより、支柱４０；４１が互いに結合される。これにより、ハンドル部１０が収容部２７とキャップ部１１との間に挟まれた状態で前後方向の軸心Ｌ２を回転中心として回転可能になる。
【００４４】
更に、収容部２７が固定基部６よりも前方に突出した筒部２６に図２に示す態様に結合される。収容部２７が筒部２６に結合される場合、孔部２９から収容部２７の外部に出ていたタッチセンサ部３２の図外の配線とボリューム部３３の図外の配線及び右打ちスイッチ部３１の図外の配線が空間部１７から孔部１５を経由して発射操作装置５の外部に出される。これにより、発射操作装置５の組み立てが終了する。
【００４５】
上記のように組み立てたられた発射操作装置５の取付部１３がパチンコ遊技機１の前面部に取り付けられる場合、発射操作装置５の外部に出ていたタッチセンサ部３２の図外の配線とボリューム部３３の図外の配線及び右打ちスイッチ部３１の図外の配線が孔部１６からパチンコ遊技機１の内部に出されて発射操作装置５の図外の制御部に接続される。
【００４６】
図２に示すように、固定基部６の前部が中空な半円筒部１８として構成され、可動基部７の後部が半円筒部１８の内面部に縦方向の軸心Ｌ１を中心として横方向に回転可能に接触した半円筒部２５として構成され、半円筒部１８には半円筒部２５の横方向への回転を許容する逃げ部１２が設けられたので、ハンドル部１０と右打ち操作部８及び停止操作部９の設けられた可動基部７の半円筒部２５が固定基部６の半円筒部１８で覆われた構造になり、半円筒部１８と半円筒部２５との隙間に指を挟むことがないうえ、可動基部７の収容部２７が逃げ部１２に配置されたので、逃げ部１２が可動基部７の横方向への回転運動の範囲を決めることができる。可動基部７の横方向への回転運動の範囲は、例えば、１５度乃至４０度に設定される。
【００４７】
又、固定基部６と可動基部７とにわたり設けられた操作感機構２１が可動基部７に固定された作用部２２と固定基部６に設けられ受動部２３とからなり、受動部２３が弾性部材により構成されたので、ハンドル部１０の横方向への回転に支障を来すことなく、発射操作装置５を操作する人に操作感を与えることができる。
【００４８】
図３を参照し、発明を実施するための形態１に係る発射操作装置５の制御系統について説明する。図３において、８は右打ち操作部、９は停止操作部、１１はキャップ部、３１は右打ちスイッチ部、３２はタッチセンサ部、３３はボリューム部、４５は制御部、４６は停止スイッチ部、４７は可動端子部、４８は固定端子部、４９は可動端子部、５０；５１は固定端子部、５２は固定抵抗部、５３は駆動回路部、５４は発射駆動部である。
【００４９】
発射操作装置５の制御系統は、電力が制御部４５及びタッチセンサ部３２に供給され、制御部４５及びタッチセンサ部３２が作動しているものの、人がキャップ部１１に触れていないと共に右打ち操作部８及び停止操作部９を操作していない場合には、停止スイッチ部４６の可動端子部４７が固定端子部４８に接触し、停止スイッチ部４６がオン状態になっており、右打ちスイッチ部３１の可動端子部４９が固定端子部５０に接触し、右打ちスイッチ部３１がボリューム部３３の側へのオン状態になっており、制御部４５から発射制御信号が駆動回路部５３に出力されておらず、発射駆動部５４が停止した状態である。発射駆動部５４は、図１の発射機３の電磁ソレノイド又はモータ等の駆動部である。
【００５０】
図３に戻り、上記の場合において、人が手をキャップ部１１に触れると、タッチセンサ部３２がキャップ部１１の人の手の触れる部分に設けられた図外の導体から人の触れたことを感知した信号を制御部４５に出力する。
【００５１】
そして、人が手でキャップ部１１に触れたままハンドル部１０を右回りに回転するように操作すると、制御部４５がボリューム部３３の抵抗値の変化に適応した電圧値を有するパルス信号を駆動回路部５３に出力し、駆動回路部５３がパルス信号に基づき発射駆動部５４を作動する。
【００５２】
パルス信号の出力される個数は、制御部４５に設定されており、例えば、１分間に１００個未満として制御部４５に設定されている。よって、例えばパルス信号の出力される個数が制御部４５に９９個と設定されていると、発射駆動部５４は１分間に９９個の玉を発射するように動作する。
【００５３】
上記のように、発射駆動部５４が玉を発射している場合において、人が手をキャップ部１１から離すと、人の触れたことを感知した信号がタッチセンサ部３２から制御部４５に出力されなくなるので、制御部４５が駆動回路部５３へのパルス信号の出力を停止し、発射駆動部５４の玉の発射の動作が停止する。
【００５４】
又、人が手をキャップ部１１に触れていて、発射駆動部５４が玉を発射している場合において、人が停止操作部９を操作すると、停止スイッチ部４６の可動端子部４７が固定端子部４８から離れ、停止スイッチ部４６がオフ状態になり、制御部４５が駆動回路部５３へのパルス信号の出力を停止し、発射駆動部５４の玉の発射の動作が停止する。
【００５５】
又、人が手をキャップ部１１に触れていると共に停止操作部９を操作しておらず発射駆動部５４が玉を発射している場合において、人がハンドル部１０を操作する手で右打ち操作部８を操作すると、右打ちスイッチ部３１の可動端子部４９が切り替わり動作して固定端子部５１から離れて固定端子部５１に接触する。これにより、制御部４５が固定抵抗部５２の固定された抵抗値に適応した電圧値を有するパルス信号を駆動回路部５３に出力し、駆動回路部５３がパルス信号に基づき発射駆動部５４を作動する。
【００５６】
固定抵抗部５２の抵抗値は、発射駆動部５４が玉を右打ちする値に設定されている。これにより、発射駆動部５４が玉を図１の遊技盤２の前面部とパチンコ遊技機１の前面部の硝子板との間の遊技空間部の左側から最上部を超えて右側に到達するように発射する。
【符号の説明】
【００５７】
１はパチンコ遊技機、２は遊技盤、３は玉発射機、４は玉受皿、５は発射操作装置、６は固定基部、７は可動基部、８は右打ち操作部、９は停止操作部、１０はハンドル部、１１はキャップ部、１２は逃げ部、１３は取付部、１４は支持部、１５；１６は孔部、１７は空間部、１８は半円筒部、１９；２０は欠番、２１は操作感機構、２２は作用部、２３は受動部、２４は軸部材、２５は半円筒部、２６は筒部、２７収容部、２８は隔壁、２９は孔部、３０は欠番、３１は右打ちスイッチ部、３２はタッチセンサ部、３３はボリューム部、３４はボリューム軸部、３５；３６は歯車、３７は歯車軸、３８は隙間部、３９は逃げ部、４０；４１は支柱、４２乃至４４は欠番、４５は制御部、４６は停止スイッチ部、４７は可動端子部、４８は固定端子部、４９は可動端子部、５０；５１は固定端子部、５２は固定抵抗部、５３は駆動回路部、５４は発射駆動部、５５乃至６０は欠番、６１は発射操作装置、６２はハンドル部、６３はグリップ部、６４はレバー部、６５は軸部、６６乃至７０は欠番、７１は発射操作装置、７２はレバー部、７３はボタン部、Ｌ１は縦方向の軸心、Ｌ２は前後方向の軸心、Ｌ３はパチンコ遊技機の前面部から前方に直角に突出する直線、Ｒ１は横方向の回転、Ｒ２は縦方向の回転。
【図１】
2014204763.tif 000003
【図２】
2014204763.tif 000004
【図３】
2014204763.tif 000005
【図４】
2014204763.tif 000006
【図５】
2014204763.tif 000007